(57)【要約】【課題】赤外線画像センサの検出信号に基づいて、照明の明るさや色温度を制御して、快適な照明環境を得ることが可能な照明制御装置を提供する。【解決手段】明るさまたは色温度が可変な光源部１０と；照明環境の所定範囲を撮影する赤外線画像センサ２０と；赤外線画像センサの検出信号に基づき照明環境の温度状態を解析し、解析結果に基づき光源部の明るさまたは色温度の少なくとも一方を制御する制御部３０と；を具備する照明制御装置１を構成する。【選択図】        図１
2009021172.tif 000002
【特許請求の範囲】
【請求項１】
明るさまたは色温度が可変な光源部と；
照明環境の所定範囲を撮影する赤外線画像センサと；
赤外線画像センサの検出信号に基づき照明環境の温度状態を解析し、解析結果に基づき光源部の明るさまたは色温度の少なくとも一方を制御する制御部と；
を具備することを特徴とする照明制御装置。
【請求項２】
前記赤外線画像センサは人の顔面を撮影し、前記制御部は、赤外線画像センサの検出信号に基づき人の顔面における表面温度の状態を解析し、解析結果に基づき光源部の明るさまたは色温度の少なくとも一方を制御することを特徴とする請求項１に記載の照明制御装置。
【請求項３】
前記制御部は、赤外線画像センサの検出信号に基づき人の存在を特定すると共に、特定された人の体表面温度の一部を時系列的に記憶して温度の変動を解析し、解析結果に基づき光源部の明るさおよび色温度を制御することを特徴とする請求項１または２記載の照明制御装置。
【発明の詳細な説明】
【技術分野】
【０００１】
本発明は、赤外線画像センサにより光源を制御する照明制御装置に関する。
【背景技術】
【０００２】
従来、赤外線画像センサや赤外線焦電型センサ等を用いて、オフィスや店舗などの照明を制御することが行われ、この種の照明制御装置が、例えば、下記の特許文献１に示されている。
【０００３】
特許文献１は、人を検知する赤外線画像センサにより、その画像情報から出入り口を通過する人数と方向を判断するマイクロコンピュータによって部屋内の人数を算出して照明を点灯し、さらに部屋内の熱源の変化を検知する赤外線焦電センサを組み合わせて誤点灯または誤消灯を防ぎ、さらに可視光センサを組み合わせて昼間など照明を必要としない時に点灯しないように構成したものである。
【０００４】
一方、近年、エネルギー消費の削減が強く求められており、エアコンの設定温度が厳しく制限されることもあり、オフィス等の執務者にとって快適とはいえない環境で仕事をするような状況になっている。このため、省エネルギー効果を害することなく空調による快適性を向上させることが可能な空気調和装置が、例えば、下記の特許文献２に示されている。
【０００５】
特許文献２は、被空調空間における照明視環境を検出する光色検出手段を設け、光色検出手段により検出された照明視環境により、空調モードの設定温度を新しい設定温度に修正する、例えば、照明視環境が暖色系であれば、人は温かく感じているため、暖房の設定温度を例えば２℃程度下げる。これにより設定温度を下げたとしても照明視環境の暖色がこれを補い、快適性を確保しながら省エネルギー効果の向上を図る空気調和装置である。
【特許文献１】特開２０００−２２３２８２号公報
【特許文献２】特許第３３５２４８９号公報
【発明の開示】
【発明が解決しようとする課題】
【０００６】
上記特許文献１の照明制御装置は、人の有無や部屋の明るさを検知して照明を点灯または消灯するものであり、部屋全体の省エネルギー化を図りながら、照明環境の快適性を向上させる事はできない。また、特許文献２の空気調和装置は、照明視環境を検知して部屋の空調を制御するものであって、照明視環境によっては必ずしも省エネルギー化を図る事ができない。
【０００７】
本発明は、上述した課題を解決することを目的とし、赤外線画像センサの検出信号に基づいて、照明の明るさや色温度を制御して、快適な照明環境を得ることが可能な照明制御装置を提供しようとするものである。
【課題を解決するための手段】
【０００８】
本発明の目的を達成するため、請求項１に記載の照明制御装置の発明は、明るさまたは色温度が可変な光源部と；照明環境の所定範囲を撮影する赤外線画像センサと；赤外線画像センサの検出信号に基づき照明環境の温度状態を解析し、解析結果に基づき光源部の明るさまたは色温度の少なくとも一方を制御する制御部と；を具備することを特徴とする。
【０００９】
本発明によれば、照明環境の所定範囲を撮影する赤外線画像センサと、赤外線画像センサの検出信号に基づき照明環境の温度状態を解析し、解析結果に基づき光源部の明るさまたは色温度の少なくとも一方を制御する制御部により、快適な照明環境を得ることが可能な照明制御装置を提供することができる。また、照明環境の明るさまたは色温度の少なくとも一方を制御することで、心理的な体感温度を変えることができるので、エアコンの設定温度を冷房時には高く、暖房時には低く設定することが可能となり、省エネルギー効果も図ることが可能になる。
【００１０】
本発明において、照明制御装置は、オフィスや店舗等の照明器具に並設して設置するための装置であっても、住宅等の照明器具に組み込んで構成した装置であってもよく、その、用途および構成等は特定のものには限定されない。
【００１１】
照明環境を構成する光源部は、直管形や環状形の蛍光ランプ、電球形蛍光ランプ、白熱ランプやハロゲンランプ、発光ダイオード（ＬＥＤ）等、さらにはこれらを組み合わせたものなど、本発明の照明制御を実現することが可能な全ての光源が許容される。光源部は、昼光色や電球色等、少なくとも２種類以上の光色の異なるもので構成し色温度を制御することが好ましいが、１種類の光色で、その明るさのみを制御するものであってもよい。光源部は、オフィスや店舗、さらには住宅用の照明器具に組み込まれたものでも、例えば、電球形蛍光ランプやＬＥＤ電球等、光源単独で構成されるものであってもよい。
【００１２】
赤外線画像センサは、照明環境の所定の範囲を撮影し検出信号から画像を得るための手段で、例えば、ＣＣＤなどの撮像素子とレンズ等の光制御手段で所定の範囲を撮影できるものが許容される。撮影する所定の範囲は、例えば、部屋全体を撮影するものでも、人の顔面、人の体の一部などを撮影するものであってもよい。赤外線画像センサは、センサの検知範囲を制御するための制御手段を有していてもよい。赤外線画像センサは、１台のセンサで部屋全体の温度状態を検知しても、例えば、部屋の出入り口、中央部、窓側等をそれぞれ検知する３台のセンサを設置し、それぞれのセンサから検出信号を得るようにしてもよく、設置台数は特に限定されない。
【００１３】
制御部は、例えば、マイクロコンピュータ等からなる電子回路で構成し、例えば、赤外線画像センサで得られる検出信号を受信する受信部、受信した検出信号をモノクロの温度階調値として解析する解析手段、解析手段の解析結果に基づき制御信号を出力する送信部で構成されるものが許容される。制御信号は、明るさのみを制御しても、色温度のみを制御しても、明るさと色温度の両方を制御するものであってもよい。
【００１４】
請求項２に記載の発明は、請求項１に記載の照明制御装置において、前記赤外線画像センサは人の顔面を撮影し、前記制御部は、赤外線画像センサの検出信号に基づき人の顔面における表面温度の状態を解析し、解析結果に基づき光源部の明るさまたは色温度の少なくとも一方を制御することを特徴とする。
【００１５】
本発明において、人の顔面を撮影する赤外線画像センサは、少なくとも鼻部を撮影して鼻部の皮膚温を検知することが好ましいが、鼻部の近辺、目、口など顔面の一部を検知しても、顔面全体を検知してもよい。
【００１６】
請求項３に記載の発明は、請求項１または２記載の照明制御装置において、前記制御部は、赤外線画像センサの検出信号に基づき人の存在を特定すると共に、特定された人の体表面温度の一部を時系列的に記憶して温度の変動を解析し、解析結果に基づき光源部の明るさおよび色温度を制御することを特徴とする。
【００１７】
本発明において、制御部は、検出信号から得られる温度分布等から人の存在を特定することができる。また、赤外線画像センサは、人の顔面あるいは腕など、露出している体の一部から皮膚温を検知することが好ましいが、露出していない体の部分から検知してもよく、検知する部位、状態等は、特定のものに限定されない。
【００１８】
明るさおよび色温度を制御する制御部は、例えば、色温度と照度には快適に感じる相関関係があると考えられており、色温度を変化させる場合には、照度が快適な範囲に入るように制御されることが許容される。
【発明の効果】
【００１９】
請求項１の発明によれば、照明環境の所定範囲を撮影する赤外線画像センサと、赤外線画像センサの検出信号に基づき照明環境の温度状態を解析し、解析結果に基づき光源部の明るさまたは色温度の少なくとも一方を制御する制御部により、快適な照明環境を得ることが可能な照明制御装置を提供することができる。
【００２０】
請求項２の発明によれば、赤外線画像センサは人の顔面を撮影し、制御部は、赤外線画像センサの検出信号に基づき人の顔面における表面温度の状態を解析し、解析結果に基づき光源部の明るさまたは色温度の少なくとも一方を制御することにより、個人個人の状態に合わせた照明制御ができるため、全ての人に快適な照明環境を提供することが可能な照明制御装置を提供することができる。
【００２１】
請求項３の発明によれば、制御部は、赤外線画像センサの検出信号に基づき人の存在を特定すると共に、特定された人の体表面温度の一部を時系列的に記憶して温度の変動を解析し、解析結果に基づき光源部の明るさおよび色温度を制御することにより、個人個人の状態に合わせた照明制御ができるため、全ての人に快適な照明環境を提供することが可能な照明制御装置を提供することができる。
【発明を実施するための最良の形態】
【００２２】
以下、本発明の照明制御装置の実施形態につき説明する。
【実施例１】
【００２３】
本実施例は、オフィスの執務室に本発明の照明制御装置を設置した実施例で、その構成を図１〜図２に従い説明する。
【００２４】
１は本発明の照明制御装置で、照明環境を構成するための光源部１０、照明環境の所定範囲を撮影する赤外線画像センサ２０、赤外線画像センサの検出信号に基づき光源部の色温度を制御する制御部３０で構成する。
【００２５】
光源部１０は、直管形の蛍光ランプ２本で構成される。一方の蛍光ランプ１１は、例えば、色温度６５００Ｋの昼光色、あるいは６５００Ｋ以上の色温度で、定格ランプ電力が４０Ｗ、他方の蛍光ランプ１２は、色温度３０００Ｋの電球色、あるいは３０００Ｋ以下の色温度で、定格ランプ電力が４０Ｗの蛍光ランプを用いる。
【００２６】
各蛍光ランプ１１、１２は、ライン形の照明器具１３に組み込まれ、照明器具１３には蛍光ランプ１１、１２を点灯制御するための調光可能な点灯装置１４が内蔵され、複数台の照明器具が部屋Ａの天井Ｘに設置される（図２）。照明器具１３の光源部１０は、制御部３０の制御信号により調光制御されると共に、部屋の壁面等に設置されたスイッチ（図示せず）により手動で点灯、消灯が行える。
【００２７】
照明制御装置１を構成する赤外線画像センサ２０は、小型のＣＭＯＳ−ＩＲの画像センサからなり、センサの受光面の前面に光学レンズが設けられて所定の範囲を撮影した検出信号を制御部３０に送信する。赤外線画像センサ２０には、センサの動作状態を制御するセンサ制御装置、例えば、部屋内を隈なく監視するように自動的にセンサの角度を調整する装置（図示せず）が設けられている。
【００２８】
制御部３０は、マイクロコンピュータからなる電子回路で構成され、赤外線画像センサ２０で撮影した検出信号を受信する受信部３１、受信した検出信号をモノクロの温度階調値として解析する解析手段３２、解析手段の解析結果に基づき調光信号を出力する送信部３３で構成し、調光信号を照明器具１３の光源部１０を点灯制御する点灯装置１４に送信する。
【００２９】
解析手段３２は、受信した検出信号をモノクロの温度の階調値として解析する。すなわち、部屋に直射日光が差し込むと、全体的に白っぽくなり、特に直射の日差しがあるところは真っ白になる。例えば、２５６階調のとき、白い部分は「２５５」が得られる。これを基に、実際にはある程度の閾値を上限、下限とも設定しておく。本実施例では、上限閾値を２３５以上、下限閾値を８０以下に設定し、受信した検出信号を解析した結果が、上限閾値２３５以上であれば、室内の温度分布、すなわち、照明環境の温度が高い状態と判断し、または下限閾値８０以下であれば、照明環境の温度が低い状態であると判断し、その判断結果に基づいた調光信号、すなわち、温度が高いときは光源部の色温度を高くする調光信号を出力し、温度が低いときは光源部の色温度を低くする調光信号を出力する。照明の色温度が人の心理に与える影響は無視できるものではなく、上記のように色温度の高い青みがかった照明にすると心理的に涼しい体感温度を与えることができ、逆に色温度の低い赤みをおびた照明にすると人に心理的に温かみのある体感温度を与えることができる。
【００３０】
上記赤外線画像センサ２０および制御部３０は、収納ケースからなる装置本体２１に組み込まれ、センサの受光面ａが部屋の床面側に対向するように位置させて部屋Ａの天井Ｘの中央部に、照明器具１３の近傍に隣接して１台が設置される（図２）。上記に設置された赤外線画像センサ２０は、センサの動作状態を制御するセンサ制御装置（角度調整装置）により、部屋Ａの出入り口Ｂ、中央部Ｃ、窓側Ｄにわたって撮影ができる。また、制御部３０の送信部３３は、無線または有線で天井に設置された複数台の各照明器具１３の点灯装置１４に接続される。
【００３１】
次に、上記に構成された照明制御装置の作用を説明する。先ず上記に設置された照明器具１３を壁面スイッチによりＯＮして点灯すると、光源部の色温度６５００Ｋの昼光色の蛍光ランプ１１と、色温度３０００Ｋの電球色の蛍光ランプ１２が共に調光点灯して、自然色に近い色温度５０００Ｋ程度の昼白色の照明環境で照明する。
【００３２】
次に、例えば、７月１０日などの夏季期間中において、窓から直射日光が差し込んだ場合、室内の温度は急激に高くなる。この状態を赤外線画像センサ２０でモニタし、制御部３０が画像の階調値を解析した結果、階調値が２３５以上となった場合、光源部１０の色温度を高くする調光信号を各照明器具１３の点灯装置１４に出力する。点灯装置１４はこの調光信号を基に、色温度の低い３０００Ｋの電球色の蛍光ランプ１２を消灯し、色温度の高い６５００Ｋの昼光色の蛍光ランプ１１のみを１００％調光で点灯する。これにより、室内の照明環境を色温度の高い青みがかった清涼感のある光色の照明に変えて、執務者に心理的に涼しい体感温度を与えることができ、エアコンの設定温度を急激に下げることなく、快適な執務環境にすることができる。色温度６５００Ｋではまだ不十分な場合には、青色ＬＥＤを照明器具に設けたり、あるいは、単体の青色ＬＥＤ照明器具を使用するなどして、色温度をさらに高くするようにしてもよい。
【００３３】
また、1月２０日などの冬季の期間中に直射日光が陰り、室内の温度が下がる傾向であれば、この状態を赤外線画像センサ２０がモニタし、制御部３０が画像の階調値を解析した結果、階調値が８０以下となった場合、光源部の色温度を低くする調光信号を各照明器具１３の点灯装置１４に出力する。点灯装置１４はこの調光信号を基に、色温度の高い６５００Ｋの昼光色の蛍光ランプ１１を消灯し、色温度の低い３０００Ｋの電球色の蛍光ランプ１２のみを１００％調光で点灯する。これにより、室内の照明環境を色温度の低い電球色の温かみのある光色の照明に変えて執務者に心理的に暖かい体感温度を与えることができ、エアコンの設定温度を急激に上げることなく、快適な執務環境にすることができる。
【００３４】
上記の照明制御を行うことにより、オフィスの執務者は、四季、年間にわたり快適な執務環境で仕事を行うことができると共に、エアコンの設定温度を冷房時は高く、暖房時は低い温度に設定することが可能となり、省エネルギー効果を得ることができる。
【００３５】
以上、本実施例によれば、赤外線画像センサ２０の検出信号に基づき、照明環境の温度が高いときは光源部１０の色温度を高くし、温度が低いときは光源部の色温度を低くする照明制御を行うことができる。
【００３６】
さらに、照明制御装置は、適切な明るさ制御や不在時消灯制御を行うことによって、より一層の省エネルギー効果を発揮することができる。
【００３７】
本実施例において、色温度の異なる２本の蛍光ランプ１１、１２により光源部の色温度を制御するように構成したが、１灯の蛍光ランプにより明るさのみを制御して、照明環境の温度が高いときは光源を暗めにし、温度が低いときは光源を明るくするような照明制御を行うようにしてもよい。
【００３８】
制御部３０の解析手段３２は、画像をモノクロの階調値として解析して温度状態を判断したが、白い部分が画像全体に占める割合の閾値を設定し、閾値を超えたら色温度を高くするように制御し、割合が７０％を超えたら非常に暑くなっていると予測できるため、色温度を最高となるように制御してもよい。また、逆に色温度が低くなるように制御する場合も同様である。
【００３９】
また、四季、年間にわたり照明制御を行うように構成したが、１日の時間変動による室内の温熱環境の変動によって光源部の色温度を制御するようにしてもよい。この場合には、一日の生体リズムを狂わせないようにすることができる。
【００４０】
本発明において、制御部３０を照明器具１３と別体に構成し、赤外線画像センサ２０を制御部３０の近傍に隣接して設置したが、住宅等の照明器具に制御部３０および赤外線画像センサ２０を組み込んで一体化して構成してもよい。この場合、部屋全体を隅々まで照明することができる照明器具に設置されるので、センサを部屋全体が見渡せる位置に配置することができ、部屋の温度分布など温熱環境をより確実に判断することができる。
【００４１】
また、防犯モード機能を設け、ある閾値以下になると調光点灯を自動的に始めるようにすれば、赤外線画像センサ２０が常に室内の状態を監視しており、日暮れを迎えて周囲が暗くなった場合に調光点灯を自動的に始め照明器具１３を点灯させることができ、在室を装うことができる。
【００４２】
また、赤外線画像センサ２０が常に室内の状態を監視しており、夜明けとともに室内が昼光によって明るくなると照明器具１３を自動的に消灯する機能を付加させてもよい。
【実施例２】
【００４３】
本実施例は、赤外線画像センサにより人の顔面を撮影し、その検出信号に基づき、人の顔面における表面温度の状態を解析して、人の生理状態、すなわち、人が快適な状態なのか不快な状態なのかを判断し、その解析結果により光源部の色温度を制御して快適な照明環境を提供しようとするものであり、その構成を図３に従い説明する。なお、図３には、実施例１と同一部分には同一の符号を付してその詳細な説明は省略する。
【００４４】
本実施例の照明制御装置１は、光源部１０と、人の顔面を撮影する赤外線画像センサ２０と、赤外線画像センサの検出信号に基づき光源部の色温度を制御する制御部３０で構成する。光源部１０は実施例１と同様に構成され、複数台の照明器具が部屋Ａの天井Ｘに設置される。
【００４５】
赤外線画像センサ２０は、実施例１と同様、小型のＣＭＯＳ−ＩＲの画像センサからなり、センサの受光面の前面に光学レンズが設けられて構成され、オフィスの机上におけるディスプレイや背景のパーティション等に設置されて、机で仕事をしている執務者の顔面、特に鼻部を撮影した検出信号を制御部３０に送信する。赤外線画像センサ２０には、センサの動作状態を制御するセンサ制御装置、例えば、顔の移動を追跡してセンサの角度を調整する機能を付加してもよい。
【００４６】
図３は、照明制御装置１の赤外線画像センサ２０によるモニタの様子を示したもので、図中、４０は執務者、４１は机、４２は椅子、４３は赤外線画像センサ２０が設置されたパソコン、θ１は赤外線画像センサ２０の検知範囲である。本実施例における照明制御装置の装置本体２１は机４１の背面に設置され、パソコン４３に設置された赤外線画像センサ２０とは無線または有線で接続される。
【００４７】
制御部３０は、実施例１と同様にマイクロコンピュータからなる電子回路で構成され、赤外線画像センサ２０で撮影した検出信号を受信する受信部３１、受信した検知信号をモノクロの温度階調値として解析する解析手段３２、解析手段の解析結果に基づき調光信号を出力する送信部３３で構成し、調光信号を照明器具１３の光源部１０を点灯制御する点灯装置１４に送信する（図１参照）。
【００４８】
解析手段３２は、受信した検出信号をモノクロの温度の階調値として解析する。すなわち、人は、その時々の状態によって微妙な体表面温度の変化があり、例えば、温度変化が現れ易いと言われている鼻部温度の計測では、不快な音を聞かせることで不快な状態を作り出し、そのときの温度が０．５℃下がったとの報告がある。
【００４９】
このことから実施例１と同様に階調値に閾値を設定しておき、受信した検出信号を解析した結果が、閾値以下であれば、鼻部の温度が０．５℃下がったと判断し、光源部の色温度を低くする調光信号を照明器具１３の点灯装置１４に出力する。点灯装置１４はこの調光信号を基に、その執務者の近辺のみ色温度の高い色温度６５００Ｋの昼光色の蛍光ランプ１１と、色温度の低い３０００Ｋの電球色の蛍光ランプ１２を調光点灯し、色温度を３５００Ｋ程度まで下げる。
【００５０】
これにより、その執務者の近辺の照明環境を色温度の低い電球色に近い温かみのある光色の照明に変えて執務者に不快な気分をリフレッシュするよう促すと共に、心理的にリラックスできる照明環境を作り出す。
【００５１】
また、赤外線画像センサ２０は、常に鼻部の表面の温度状態を撮影した検出信号を制御部に送信しており、鼻部の温度が元に戻った際には、通常の照明環境、すなわち、色温度６５００Ｋの昼光色の蛍光ランプ１１および色温度３０００Ｋの電球色の蛍光ランプ１２の両方を調光点灯させて自然色に近い色温度５０００Ｋ程度の昼白色の照明環境に戻す。
【００５２】
従来、人の生体リズムに基づいた様々な照明環境や照明制御はすでに提示され実用化されているものもあるが、これらは生理反応を平均化したようなものであり、多くの人が同じような反応を示せば効果があったと判断している。しかしながら、実際にはそれによって不快を感じている人もいないとは言えない。主観はもちろん、生理反応においても個人差があるが、これを考慮した照明システムあるいは照明制御は存在していないのが現状である。
【００５３】
これに対し、本実施例によれば、個人個人の状態に合わせた照明制御ができるため、全ての人に快適な照明環境を提供することができる。また、赤外線画像センサ２０は、常に監視してフィードバックするシステムとなっているため、不快な照明制御をすることがなく、常に快適な照明環境を作り出すことができる。
【００５４】
さらに、ＯＡ作業を続けていると、知らず知らずのうちに長時間連続して同じような姿勢のまま、同じような距離を見続けることになるので疲労しやすい。これを顔面の表面温度を監視することで、最適なタイミングでリフレッシュすることができるようになり、疲労を和らげる効果も呈することができる。
【００５５】
また、本実施例において、体温が下がると眠くなるという人の特性を考慮し、解析手段３２に検出信号を時系列的に記憶する機能を付加し、体温変化を見続けることで眠くなってきているのか、覚醒して集中しているのかを判断するようにしてもよい。これによれば、上記のように色温度の低い照明環境を作り出してリラックスさせた結果、さらに鼻部温度が下がったら非常に眠い状態になってきている可能性があるため、逆に色温度を高くし、さらに照度も高くすることで覚醒水準を高め、快適な状態あるいは集中できる状態にしてもよい。
【００５６】
また、本実施例において、室内の照明環境を色温度の低い電球色に近い温かみのある光色の照明に変えてリラックスできる照明環境を作り出したが、リラックス効果があるといわれている青色蛍光ランプのような青い光の環境、若しくは、ＲＧＢの３本のカラー蛍光ランプで３０秒〜２分程度の間隔で色を変化させリラックスできるようにしてもよい。
【００５７】
また、実施例１と同様に、１灯の蛍光ランプにより明るさを制御して、顔面の表面温度が低いときは光源を暗くしてリラックスできる照明環境を作り出すような照明制御を行うようにしてもよい。
【００５８】
その他、本実施例における他の構成、作用、作用効果、変形例等は、実施例１と同様である。
【実施例３】
【００５９】
本実施例は、赤外線画像センサにより人の体を撮影し、その検出信号に基づき、人の体表面温度を時系列的に記憶して温度の変動を解析し、人の生理状態、すなわち、人が快適な状態なのか不快な状態なのかを判断し、その解析結果により光源部の明るさおよび色温度を制御して快適な照明環境を提供しようとするものであり、その構成を図４〜図５に従い説明する。なお、図４〜図５には、実施例１、２と同一部分には同一の符号を付してその詳細な説明は省略する。
【００６０】
本実施例の照明制御装置１は、光源部１０と、人の体を撮影する赤外線画像センサ２０と、赤外線画像センサの検出信号に基づき光源部１０の明るさおよび色温度を制御する制御部３０で構成する。光源部１０は実施例１、２と同様に構成され、複数台の照明器具が部屋Ａの天井Ｘに設置される。
【００６１】
赤外線画像センサ２０は、実施例１と同様、小型のＣＭＯＳ−ＩＲの画像センサからなり、センサの受光面の前面に光学レンズが設けられて構成され、制御部３０と共に装置本体２１に組み込まれてセンサの受光面ａが部屋の床面側に対向するように位置させて部屋Ａの天井Ｘの中央部に、照明器具１３の近傍に隣接して１台が設置され、室内の人を撮影した検出信号を制御部に送信する（図２参照）。
【００６２】
制御部３０は、実施例１と同様にマイクロコンピュータからなる電子回路で構成され、図４に示すように、赤外線画像センサ２０で撮影した検出信号を受信する受信部３１、受信した検出信号から顔面あるいは腕などの体の一部を検出し、人の存在を特定する検出部３１´、検出した人の一部をモノクロの温度階調値として時系列的に記憶し、温度の変動を解析する解析手段３２、解析手段の解析結果に基づき調光信号を出力する送信部３３で構成し、調光信号を照明器具１３の光源部１０を点灯制御する点灯装置１４に送信する。
【００６３】
解析手段３２は、検出した人の一部をモノクロの温度階調値として時系列的に記憶し、温度の変動を解析する。すなわち、室内に存在する人の皮膚温を測定し、時系列的に記憶して皮膚温の変動を計測する。皮膚温は室温の影響や発汗、ストレスなどにより変化し易い特徴がある。
【００６４】
このことから実施例１、２と同様に階調値に閾値を設定しておき、受信した検出信号を解析した結果が、閾値以下（温度の変動が１℃低下）であれば、皮膚温が低下する傾向であると判断し、暖かさを感じるよう光源部の色温度を低くする調光信号を照明器具１３の点灯装置１４に出力する。点灯装置１４はこの調光信号を基に、色温度の高い６５００Ｋの昼光色の蛍光ランプ１１を消灯し、色温度の低い３０００Ｋの電球色の蛍光ランプ１２のみを１００％調光で点灯する。
【００６５】
また、閾値以上（温度の変動が１℃上昇）であれば、皮膚温が上昇する傾向であると判断し、涼しさを感じるよう光源部の色温度を高くする調光信号を照明器具１３の点灯装置１４に出力する。点灯装置１４はこの調光信号を基に、色温度の低い３０００Ｋの電球色の蛍光ランプ１２を消灯し、色温度の高い６５００Ｋの昼光色の蛍光ランプ１１のみを１００％調光で点灯する。本実施例は、上記により色温度を制御すると同時に、光源の明るさ（照度）を制御する。
【００６６】
すなわち、図５に示すように、色温度と照度には快適に感じる相関関係（図中斜線で示す範囲）があると考えられているため、色温度を変化させる場合には照度が快適な範囲に入るように制御する。図５は、色温度と照度の関係から照明の快適な範囲を示したグラフである。
【００６７】
このため、制御部３０には、上記により制御された色温度に連動して照度を調整する照度調整部５０を設ける（図４）。照度調整部は下記の「表１」に示すように制御する。「表１」は、図５の快適な範囲に入れるための光源部の照明光の色温度と照度との関係を示したものである。
【００６８】
【表１】
2009021172.tif 000003
上記により、通常は、色温度３０００Ｋの電球色の蛍光ランプ１２と色温度６５００Ｋの昼光色の蛍光ランプ１１を調光点灯し、色温度５０００Ｋ程度で５００ｌｘ以上の照度となるように点灯する。
【００６９】
赤外線画像センサ２０は常に室内の人を撮影し、室内にいる人の皮膚温を検出しており、人の皮膚温が１℃低下したときは、照度はそのままで、色温度が３０００Ｋとなるように色温度の高い６５００Ｋの昼光色の蛍光ランプ１１を消灯し、色温度の低い３０００Ｋの電球色の蛍光ランプ１２のみを１００％調光で点灯する。同時に照度調整部５０により照度を５００ｌｘ以下になるように調整する。これにより図５に示す快適な範囲（色温度３０００Ｋの色温度では快適な範囲の照度は７０〜５００ｌｘ）に入るように調整される。
【００７０】
また、皮膚温が１℃上昇したときは、照度はそのままで色温度６５００Ｋになるように、色温度の低い３０００Ｋの電球色の蛍光ランプ１２を消灯し、色温度の高い６５００Ｋの昼光色の蛍光ランプ１１のみを１００％調光で点灯する。同時に照度調整部５０により照度を７００ｌｘ以上になるように調整する。これにより図５に示す快適な範囲（色温度６５００Ｋの色温度では快適な範囲の照度は７００ｌｘ以上）に入るように調整される。これにより、室内の照明環境を常に快適な範囲にすることができる。
【００７１】
また、赤外線画像センサ２０は、常に人の体を撮影し検出信号を制御部３０に送信しており、人の皮膚温が元に戻った際には、通常の照明環境、すなわち、色温度６５００Ｋの昼光色の蛍光ランプ１１および３０００Ｋの電球色の蛍光ランプ１２の両方を調光点灯させて、色温度５０００Ｋ程度で５００ｌｘ以上の照度となる照明環境に戻す。
【００７２】
本実施例によれば、個人個人の状態に合わせた照明制御ができるため、全ての人に快適な照明環境を提供することができる。
【００７３】
また、赤外線画像センサ２０の検出信号に基づき、皮膚温が高いときは光源の色温度を高くし涼しさを感じさせることができる。また、皮膚温が低いときは光源の色温度を低くして暖かさを感じさせることができる。同時に心理的な体感温度を変えることができるので、エアコンの設定温度を冷房時には高く、暖房時には低く設定することが可能となり、省エネルギー効果も図ることができる。
【００７４】
赤外線画像センサ２０は、常に監視してフィードバックするシステムとなっているため、不快な照明制御をすることがなく、常に快適な照明環境を作り出すことができる。
【００７５】
照明の快適な範囲に入るように、色温度と照度を制御するため、照明光によって陰気な雰囲気になったり、暑苦しい雰囲気になることを避けることができる。
【００７６】
以上、本実施例において、皮膚温度の上昇および下降の度合いに応じて色温度をリニアに変動させ、照度もリニアに変動させるように構成してもよい。
【００７７】
その他、本実施例における他の構成、作用、作用効果、変形例等は、実施例１、２と同様である。
【００７８】
以上、本発明の好適な実施例を説明したが、本発明は上述の各実施例に限定されることなく、本発明の要旨を逸脱しない範囲内において、種々の設計変更を行うことができる。
【図面の簡単な説明】
【００７９】
【図１】本発明の第１の実施形態における照明制御装置の構成を示すブロック図。
【図２】同じく照明制御装置をオフィスの執務室に設置した状態を概略的に示す説明図。
【図３】本発明の第２の実施形態における照明制御装置の赤外線画像センサを机上パソコンに設置した状態を示す説明図。
【図４】本発明の第３の実施形態における照明制御装置の構成を示すブロック図。
【図５】色温度と照度の関係から照明の快適な範囲を示したグラフ。
【符号の説明】
【００８０】
１    照明制御装置
１０  光源部
１３  照明器具
２０  赤外線画像センサ
３０  制御部
【図１】
2009021172.tif 000004
【図２】
2009021172.tif 000005
【図３】
2009021172.tif 000006
【図４】
2009021172.tif 000007
【図５】
2009021172.tif 000008